(57)【特許請求の範囲】
【請求項１】
複数のパネルを平面視ジグザグ状に立設してあり、各パネルは相互に離隔し、独立して自立しており、隣接する二枚のパネル間の空間において、二枚のパネルに跨って身体を寄り掛けられるようにしてあることを特徴とする休憩用構造体。
【請求項２】
複数のパネルを平面視ジグザグ状に立設してあり、隣接する二枚のパネル間の空間において、二枚のパネルに跨って身体を寄り掛けられるようにしてあり、隣接する同方向に拡幅する空間の間に、両空間相互の視線を遮断する遮断壁を設けてあることを特徴とする休憩用構造体。
【請求項３】
複数のパネルを立設してあって、パネルの平面部に身体を寄り掛けられるようにしてあり、各パネルを連結する連結材を備えており、連結材が、各パネルに設けた取付孔を貫通していることを特徴とする休憩用構造体。
【請求項４】
複数のパネルを平面視ジグザグ状に立設してあり、隣接する二枚のパネル間の空間において、二枚のパネルに跨って身体を寄り掛けられるようにしてあり、各パネルを連結する連結材を備えており、連結材が各パネルの上下方向中間部に取り付けてあり、連結材に腰掛けることができるようにしてあることを特徴とする休憩用構造体。
【請求項５】
複数のパネルを平面視平行に立設してあって、パネル同士の間でパネルの平面部に身体を寄り掛けられるようにしてあり、各パネルを連結する連結材を備えることを特徴とする休憩用構造体。
【請求項６】
複数のパネルを平面視ジグザグ状に立設してあり、各パネルは相互に離隔しており、隣接する二枚のパネル間の空間において、二枚のパネルに跨って身体を寄り掛けられるようにしてあり、隣接するパネルの平面部同士を連結する連結具を備えることを特徴とする休憩用構造体。
【発明の詳細な説明】
【技術分野】
【０００１】
本発明は、室内外の様々な場所に設置する休憩用構造体に関する。
【背景技術】
【０００２】
従来、室内外の様々な場所において、パネルを立設した構造体が設置されている（例えば、特許文献１，２）。このような構造体は、スクリーン、パーティション、仕切壁等の名称で呼ばれ、目隠しや表示物の掲示等の目的で使用されている。
【先行技術文献】
【特許文献】
【０００３】
【特許文献１】特開２００２−３６４１０５号公報
【特許文献２】特開平９−２８７２２３号公報
【発明の概要】
【発明が解決しようとする課題】
【０００４】
ところで、このような構造体の周囲には人が集まりやすく、人々が構造体に寄り掛かって休憩する場合がある。しかしながら、従来の構造体は人が寄り掛かることを前提としたものではなく、そのように使用した場合に、必ずしも使用感が良好ではなかった。
【０００５】
本発明は、上記事情を鑑みたものであり、寄り掛かって休憩する際に使用感が良好な休憩用構造体を提供することを目的とする。
【課題を解決するための手段】
【０００６】
本発明のうち請求項１の発明は、複数のパネルを平面視ジグザグ状に立設してあり、各パネルは相互に離隔し、独立して自立しており、隣接する二枚のパネル間の空間において、二枚のパネルに跨って身体を寄り掛けられるようにしてあることを特徴とする。
【０００７】
本発明のうち請求項２の発明は、複数のパネルを平面視ジグザグ状に立設してあり、隣接する二枚のパネル間の空間において、二枚のパネルに跨って身体を寄り掛けられるようにしてあり、隣接する同方向に拡幅する空間の間に、両空間相互の視線を遮断する遮断壁を設けてあることを特徴とする。
【０００８】
本発明のうち請求項３の発明は、複数のパネルを立設してあって、パネルの平面部に身体を寄り掛けられるようにしてあり、各パネルを連結する連結材を備えており、連結材が、各パネルに設けた取付孔を貫通していることを特徴とする。
【０００９】
本発明のうち請求項４の発明は、複数のパネルを平面視ジグザグ状に立設してあり、隣接する二枚のパネル間の空間において、二枚のパネルに跨って身体を寄り掛けられるようにしてあり、各パネルを連結する連結材を備えており、連結材が各パネルの上下方向中間部に取り付けてあり、連結材に腰掛けることができるようにしてあることを特徴とする。
【００１０】
本発明のうち請求項５の発明は、複数のパネルを平面視平行に立設してあって、パネル同士の間でパネルの平面部に身体を寄り掛けられるようにしてあり、各パネルを連結する連結材を備えることを特徴とする。
【００１１】
本発明のうち請求項６の発明は、複数のパネルを平面視ジグザグ状に立設してあり、各パネルは相互に離隔しており、隣接する二枚のパネル間の空間において、二枚のパネルに跨って身体を寄り掛けられるようにしてあり、隣接するパネルの平面部同士を連結する連結具を備えることを特徴とする。
【発明の効果】
【００１２】
本発明のうち請求項１の発明によれば、隣接する二枚のパネル間の空間を個人が専有する空間として、パネルに身体を寄り掛けて休憩することができる。そして、隣接する二枚のパネルは平面視してヘの字形又はハの字形に配置されているから、その二枚のパネルに跨って身体を寄り掛けることで、身体が安定して支持される。上記のように二枚のパネルを背にして寄り掛かれば、パネルによって後方及び側方からの視線が遮断されるし、また、荷物も二枚のパネルの間に置けば、他人から手が届きにくくなり、置き引きの被害を防ぐことができる。
【００１３】
本発明のうち請求項２の発明によれば、隣接する二枚のパネル間の空間を個人が専有する空間として、パネルに身体を寄り掛けて休憩することができる。そして、隣接する二枚のパネルは平面視してヘの字形又はハの字形に配置されているから、その二枚のパネルに跨って身体を寄り掛けることで、身体が安定して支持される。上記のように二枚のパネルを背にして寄り掛かれば、パネルによって後方及び側方からの視線が遮断されるし、また、荷物も二枚のパネルの間に置けば、他人から手が届きにくくなり、置き引きの被害を防ぐことができる。さらに、遮断壁によってパネル間の空間相互の視線がより確実に遮断されているから、人目を気にすることなく、休憩したり、書類の閲覧や電子機器の操作等をしたりすることができる。
【００１４】
本発明のうち請求項３の発明によれば、隣接する二枚のパネル間の空間を個人が専有する空間として、パネルに身体を寄り掛けて休憩することができる。さらに、パネルを連結材により連結することで、全体の剛性が高くなる。また、パネルが連結材のみと結合し、設置面に接していない構造も可能である。そして、連結材に対してパネルをスライド自在にして、各パネル間の間隔を調節できるようすることもできる。
【００１５】
本発明のうち請求項４の発明によれば、隣接する二枚のパネル間の空間を個人が専有する空間として、パネルに身体を寄り掛けて休憩することができる。そして、隣接する二枚のパネルは平面視してヘの字形又はハの字形に配置されているから、その二枚のパネルに跨って身体を寄り掛けることで、身体が安定して支持される。上記のように二枚のパネルを背にして寄り掛かれば、パネルによって後方及び側方からの視線が遮断されるし、また、荷物も二枚のパネルの間に置けば、他人から手が届きにくくなり、置き引きの被害を防ぐことができる。さらに、パネルを連結材により連結することで、全体の剛性が高くなる。また、パネルが連結材のみと結合し、設置面に接していない構造も可能である。さらに、連結材に腰掛けることで、より安定して身体が支持され、楽な姿勢で休憩することができる。
【００１６】
本発明のうち請求項５の発明によれば、隣接する平行な二枚のパネル間に広い空間を形成して、余裕のある専有空間とすることができる。空間に余裕があるので、二人以上の専有空間とすることもでき、連結材に腰掛けることで、楽な姿勢で休憩することができる。
【００１７】
本発明のうち請求項６の発明によれば、隣接する二枚のパネル間の空間を個人が専有する空間として、パネルに身体を寄り掛けて休憩することができる。そして、隣接する二枚のパネルは平面視してヘの字形又はハの字形に配置されているから、その二枚のパネルに跨って身体を寄り掛けることで、身体が安定して支持される。上記のように二枚のパネルを背にして寄り掛かれば、パネルによって後方及び側方からの視線が遮断されるし、また、荷物も二枚のパネルの間に置けば、他人から手が届きにくくなり、置き引きの被害を防ぐことができる。さらに、パネルを連結材により連結することで、全体の剛性が高くなる。また、パネルが連結材のみと結合し、設置面に接していない構造も可能である。
【図面の簡単な説明】
【００１８】
【図１】本発明の休憩用構造体の第一実施例の外観図である。
【図２】第一実施例の三面図である。
【図３】第二実施例の三面図である。
【図４】第三実施例の三面図である。
【図５】第四実施例の三面図である。
【図６】第五実施例の三面図である。
【図７】第六実施例の三面図である。
【図８】第七実施例の三面図である。
【発明を実施するための形態】
【００１９】
以下、本発明の実施の形態を図面に基づいて説明する。なお、以下において前側、後側及び左右側は、それぞれ図２（ａ）における下側、上側及び左右側を示すものとする。この休憩用構造体の第一実施例は、図１及び図２に示すように、矩形の六枚のパネル１が左右方向にわたって平面視ジグザグ状に立設してある。各パネル１は、高さ２０００ｍｍ、幅４５０ｍｍで左右方向に対して４５度傾いており、それぞれの平面視中心が４４５ｍｍ間隔となるように配置してある。このように配置することで、隣接する二枚のパネル１同士は最接近部で１００ｍｍ程度離隔しており、そこから前側又は後側に向けて拡幅する空間Ｓを形成している。よって、使用者Ｐが空間Ｓにおいてパネル１の平面部１１に身体を寄り掛ける際に、両肩や腰が二枚のパネル１それぞれに接するようにする等、二枚のパネル１に跨って身体を寄り掛けることができる。また、右端のパネル１の右側には、パネル１と同形の表示板４が、前後方向と水平に立設してある。そして、各パネル１及び表示板４を、連結材３により連結してある。連結材３は、左右方向に延びる上部材３ａと、上部材３ａの左右両端から下向きに延びる垂直部材３ｂと、上部材３ａの下方に位置し左右方向に延びて両端が垂直部材３ｂと接続する下部材３ｃからなる。上部材３ａは、各パネル１及び表示板４の上下方向中間部に設けた取付孔５を貫通しており、上部材３ａの上面は設置面Ｇから７４０ｍｍの高さに位置しており、使用者Ｐが腰掛けることができる。また、垂直部材３ｂは、下端が設置面Ｇに固定してある。さらに、下部材３ｃも各パネル１及び表示板４に設けた取付孔５を貫通しており、下部材３ｃの上面は設置面Ｇから２００ｍｍの高さに位置しており、足を掛けたり、子供が腰掛けたりすることができる。
【００２０】
このように形成した休憩用構造体は、隣接する二枚のパネル１間の空間Ｓを個人が専有する空間として、パネル１に身体を寄り掛けて休憩することができる。そして、隣接する二枚のパネル１は平面視してハの字形に配置されているから、その二枚のパネル１に跨って身体を寄り掛けることで、身体が安定して支持される。また、荷物も二枚のパネル１の間に置けば、他人から手が届きにくくなり、置き引きの被害を防ぐことができる。そして、パネル１間の空間Ｓにおいてパネル１に身体を寄り掛けた使用者Ｐから見ると、パネル１によって視線が遮断され、隣接する空間Ｓからは視線が通らないから、使用者Ｐは人目を気にすることなく、休憩したり、書類の閲覧や電子機器の操作等をしたりすることができる。さらに、各パネル１を一本物の連結材３（上部材３ａ及び下部材３ｃ）が貫通しており、これにより各パネル１を連結してあるので全体の剛性が高く、また連結材３に腰掛けることで、より安定して身体が支持され、楽な姿勢で休憩することができる。なお、表示板４には、案内表示、地図や広告など、種々の表示物を掲示することができる。また、パネル１にそれらの表示物を掲示してもよい。
【００２１】
本発明の第二実施例は、図３に示すように、矩形の八枚のパネル１が左右方向にわたって平面視ジグザグ状に立設してあり、隣接する二枚のパネル１の間に空間Ｓが形成されていて、使用者が空間Ｓにおいてパネル１の平面部１１に身体を寄り掛ける際に、二枚のパネル１に跨って身体を寄り掛けることができる。また、左右端のパネル１の先端からは表示板４が前側に向けて形成してある。この表示板４とパネル１とは、別体のものをネジ止めや接着等で結合したものであってもよいし、当初から一体に成形したものであってもよい。そして、各パネル１の上下方向中間部には、フック６が設けてあり、使用者は鞄等の荷物を引っ掛けることができる。なお、フック６は表示板４に設けてもよい。また、フック６は固定式のものでもよいが、未使用時にパネル１内に収納されてパネル１と面一になる回転式のものとすれば、フック６が身体と接触したり、フック６に衣服が引っ掛かったりすることが防がれるので、望ましい。
【００２２】
本発明の第三実施例は、図４に示すように、矩形の八枚のパネル１が左右方向にわたって平面視ジグザグ状に立設してあり、隣接する二枚のパネル１の間に空間Ｓ１，Ｓ２，Ｓ３が形成されていて、使用者が空間Ｓ１，Ｓ２，Ｓ３においてパネル１の平面部１１に身体を寄り掛ける際に、二枚のパネル１に跨って身体を寄り掛けることができる。また、左右端のパネル１の先端からは表示板４が前側に向けて形成してあり、さらに、左から二枚目、四枚目及び六枚目のパネル１の両先端からは、遮断壁２が前側及び後側に向けて形成してある。なお、パネル１と表示板４、及びパネル１と遮断壁２とは、別体のものをネジ止めや接着等で結合したものであってもよいし、当初から一体に成形したものであってもよい。このように形成した第三実施例においては、パネル１がジグザグ状に立設してあることにより、前後に隣接する空間Ｓ１と空間Ｓ２とは互いに反対方向に拡幅し、左右に隣接する空間Ｓ１と空間Ｓ３とは互いに同方向に拡幅する。そして遮断壁２は左右に隣接する空間Ｓ１と空間Ｓ３の間に位置することになるから、前後に隣接する空間Ｓ１と空間Ｓ２相互の視線はパネル１によって遮断され、左右に隣接する空間Ｓ１と空間Ｓ３相互の視線は遮断壁２によって遮断されるので、使用者からはより人目が気にならなくなり、空間の専有性が高くなる。なお、各遮断壁２及び表示板４の上下方向中間部には、第二実施例と同様のフック６が設けてある。また、パネル１、表示板４のほか、遮断壁２に種々の表示物を掲示することもできる。
【００２３】
本発明の第四実施例は、図５に示すように、矩形の八枚のパネル１が左右方向にわたって平面視ジグザグ状に立設してあり、隣接する二枚のパネル１の間に空間Ｓ１，Ｓ２，Ｓ３が形成されていて、使用者が空間Ｓ１，Ｓ２，Ｓ３においてパネル１の平面部１１に身体を寄り掛ける際に、二枚のパネル１に跨って身体を寄り掛けることができる。また、左右端のパネル１の先端からは表示板４が前側に向けて形成してあり、さらに、左から二枚目、四枚目及び六枚目のパネル１の両先端からは、遮断壁２が前側及び後側に向けて形成してある。また、隣接するパネル１同士が平板形状の連結材３により連結されている。なお、これらのパネル１、表示板４、遮断壁２及び連結材３は、別体のものをネジ止めや接着等で結合したものであってもよいし、当初から一体に成形したものであってもよい。このように形成した第四実施例においては、前後に隣接する空間Ｓ１と空間Ｓ２相互の視線はパネル１によって遮断され、左右に隣接する空間Ｓ１と空間Ｓ３相互の視線は遮断壁２によって遮断されるので、使用者からはより人目が気にならなくなり、空間の専有性が高くなる。なお、各遮断壁２及び表示板４の先端の上下方向中間部には、切欠を形成してフック６にしてある。また、パネル１、表示板４、遮断壁２のほか、平板形状の連結材３に種々の表示物を掲示することもできる。
【００２４】
本発明の第五実施例は、図６に示すように、矩形で平面視平行四辺形の七枚のパネル１が左右方向にわたって平面視ジグザグ状に立設してあり、隣接する二枚のパネル１の間に空間Ｓが形成されていて、使用者が空間Ｓにおいてパネル１の平面部１１に身体を寄り掛ける際に、二枚のパネル１に跨って身体を寄り掛けることができる。このように形成した第五実施例においては、パネル１が平面視平行四辺形であるから、各側面に別の表示物を掲示することができる。なお、各パネル１の先端の上下方向中間部には、切欠を形成してフック６にしてある。
【００２５】
本発明の第六実施例は、図７に示すように、矩形の八枚のパネル１が左右方向にわたって平面視ジグザグ状に立設してあり、隣接する二枚のパネル１の間に空間Ｓが形成されていて、使用者が空間Ｓにおいてパネル１の平面部１１に身体を寄り掛ける際に、二枚のパネル１に跨って身体を寄り掛けることができる。また、各パネル１の上下方向中間部には、隣接するパネル１の平面部１１同士を連結する連結材３が取り付けてある。このように形成した第六実施例においては、使用者はパネル１に寄り掛かり、連結材３に腰掛けることで、楽な姿勢で休憩することができる。
【００２６】
本発明の第七実施例は、図８に示すように、矩形の三枚のパネル１が左右方向にわたって平面視平行に立設してある。各パネル１は左右方向に対して４５度傾いており、隣接する二枚のパネル１の間に空間Ｓが形成されている。また、各パネル１を、連結材３により連結してある。連結材３は、第一実施例と同様に、上部材３ａと、垂直部材３ｂと、下部材３ｃからなり、上部材３ａ及び下部材３ｃがそれぞれ各パネル１に設けた取付孔５を貫通しており、垂直部材３ｂは下端が設置面Ｇに固定してある。そして、上部材３ａの上面には、矩形平板からなるテーブル８が、パネル１と交互に配置してある。このように形成した第七実施例においては、二枚のパネル１間に広い空間Ｓが形成されており、余裕のある専有空間とすることができる。特に、連結材３を挟んで二人が隣接する二枚のパネル１の内側にそれぞれ寄り掛かることで、隣接する二枚のパネル１間の空間Ｓをその二人の専有空間とすることもできる。また、使用者はパネル１の平面部１１に寄り掛かり、連結材３に腰掛けることで、楽な姿勢で休憩することができる。さらに、テーブル８に荷物を置いたり、テーブル８で作業をしたりすることもできる。
【００２７】
本発明は、上記の実施形態に限定されない。例えば、第一、第四及び第六実施例において連結材がなくてもよいし、第二、第三及び第五実施例において連結材を設けてもよい。また、パネルの形状は矩形以外でもよいし、パネルの高さは、人の腰の高さ（約１０００ｍｍ）より高ければ、使用者はパネルに腰を寄り掛けることができるので、本発明の目的を達成できる。さらに、連結材は、一本物の部材が各パネルを貫通するものであってもよいし、分割された部材が各パネル間に取り付けてあるものであってもよいし、その両方を備えるものであってもよい。そして一本物の部材が各パネルを貫通している場合、連結材に対してパネルをスライド自在にして、各パネル間の間隔を調節できるようにしてもよい。また、本発明の各部を構成する素材は、使用者が寄り掛かった際の荷重を支えることができるものであればよく、意匠性も考慮して、金属、木材、樹脂等から自由に選択できる。
【符号の説明】
【００２８】
１  パネル
２  遮断壁
３  連結材
５  取付孔
１１  平面部
Ｓ  空間
【図１】
0005502393.tif 000002
【図２】
0005502393.tif 000003
【図３】
0005502393.tif 000004
【図４】
0005502393.tif 000005
【図５】
0005502393.tif 000006
【図６】
0005502393.tif 000007
【図７】
0005502393.tif 000008
【図８】
0005502393.tif 000009